(57)【特許請求の範囲】
【請求項１】
建築物の平坦な屋上面を緑化植物により緑化するためのシステムであって、
建築物の前記屋上面との間に所定空間を開けて設置される緑化植物の植栽床と、
前記植栽床と前記屋上面との間の空間に緑化植物用の水および／または培養液を噴霧する噴霧装置とを備え、
前記植栽床を前記屋上面に設置するための支持部材の一部又は全部をプランターおよび／またはポットとし、
前記プランターおよび／またはポットに植栽された緑化植物に灌水する灌水装置と、
前記プランターおよび／またはポットからの排水を回収して前記噴霧装置に供給する排水回収装置とを備えていることを特徴とする建築物緑化システム。
【請求項２】
前記植栽床は、網状体に挟持された不織布を有することを特徴とする請求項１に記載の建築物緑化システム。
【請求項３】
前記噴霧装置は、ポンプによる水および／または培養液の圧送供給路に設けられた複数の噴霧ノズルを有することを特徴とする請求項１または２に記載の建築物緑化システム。
【請求項４】
前記各プランターは、灌水の排水勾配を有する底板部と、この底板部の排水勾配の低位側に排水穴を介して連通する排水受部と、この排水受部を覆う蓋部とを有することを特徴とする請求項１〜３の何れか１項に記載の建築物緑化システム。
【請求項５】
前記植栽床の下方空間の周囲には、太陽光発電用のソーラーパネルが配設されていることを特徴とする請求項１〜４の何れか１項に記載の建築物緑化システム。
【発明の詳細な説明】
【技術分野】
【０００１】
本発明は、ビルや工場などの建築物の平坦な屋上面を緑化植物により緑化するための建築物緑化システムに関するものである。
【背景技術】
【０００２】
近年、地球温暖化対策の一環として緑化運動が推進されており、ビルや工場などの建築物においては、その屋上を緑化植物により緑化するシステムや装置が提案されている（例えば特許文献１、２参照）。
【０００３】
ここで、特許文献１には、植物の育成に十分な通気性を確保できる屋上緑化システムとして、特定構造の育成基盤（１００）を備えた屋上緑化システムが記載されている。この育成基盤（１００）は、複数の凸条が並設された薄肉金属パネル（２００）上に透水シート（１０５）を介して植物育成用の軽量土（１０６）を配置した構造を有するものである。
【０００４】
一方、特許文献２には、軽量化により建物に対する負担を軽減させるようにした屋上緑化装置として、特定構造の緑化構造体（２２）を備えた屋上緑化装置が記載されている。この緑化構造体（２２）は、格子状を呈するメッシュボードからなる載置部（２０）上に、板状を呈する繊維ボード（１６ａ）からなる植栽部（１６）を載置した構造を有するものである。
【先行技術文献】
【特許文献】
【０００５】
【特許文献１】特開２０１０−２５９４０９号公報
【特許文献２】特開２０１０−４１９６９号公報
【発明の概要】
【発明が解決しようとする課題】
【０００６】
ところで、特許文献１に記載された屋上緑化システムにおいては、緑化植物への散水、すなわち育成基盤（１００）の軽量土（１０６）への散水が必要であり、その散水によって育成基盤（１００）の重量が大幅に増大する。加えて、軽量土に散水された水が軽量土から溢れ、育成基盤を超えて屋上へ流出することがある。すなわち、特許文献１に記載された屋上緑化システムは、屋上の耐久・耐水性に大きな影響があり、既存のビルや工場などの建築物の屋上を特許文献１に記載の屋上緑化システムで緑化する場合、育成基板を設置するに先立って、屋上に新たな耐久・耐水対策を講じる必要がある。
【０００７】
同様に、特許文献２に記載された屋上緑化装置においても、緑化植物への散水、すなわち緑化構造体（２２）の植栽部（１６）への散水が必要であり、その散水によって緑化構造体（２２）の重量が大幅に増大すると共に、散水された水が屋上へ流出することがあり、屋上の耐久性・耐水性に大きな影響がある。従って、既存のビルや工場などの建築物の屋上を特許文献２に記載された屋上緑化装置で緑化する場合においても、屋上に新たな耐久・耐水対策を講じる必要がある。
【０００８】
本発明は、このような従来技術の問題点に対応してなされたものであり、緑化植物栽培用の水や培養液が建築物の平坦な屋上面に流出することがなく、建築物の前記屋上面の耐久・耐水性を低下させることのない建築物緑化システムを提供することを課題とする。
【課題を解決するための手段】
【０００９】
このような課題を解決するため、本発明に係る建築物緑化システムは、建築物の平坦な屋上面（以下、屋上面）を緑化植物により緑化するためのシステムであって、建築物の屋上面との間に所定空間を開けて設置される緑化植物の植栽床と、植栽床と屋上面との間の空間に緑化植物栽培用の水や培養液を噴霧する噴霧装置とを備え、植栽床を屋上面に設置するための支持部材の一部又は全部を複数のプランターおよび／またはポットとすることを特徴とする。
【００１０】
本発明に係る建築物緑化システムでは、噴霧装置が建築物の屋上面と緑化植物の植栽床との間の空間に緑化植物栽培用の水や培養液を噴霧すると、その水や培養液の噴霧が植栽床に植え込まれた緑化植物の根毛から直接吸収されることにより、緑化植物が栽培され、こうして建築物の屋上面が緑化される。
【００１１】
本発明の建築物緑化システムにおいて、緑化植物の植栽床は、金属その他各種材料製のネットなどの網状体に挟持された不織布を有する構造とすることができる。この場合、植栽床が極めて軽量化する。
【００１２】
また、本発明の建築物緑化システムにおいて、噴霧装置は、ポンプによる水や培養液の圧送供給路に設けられた複数の噴霧ノズルを有する構成とすることができる。この場合、ポンプが水や培養液を圧送すると、その圧力により複数の噴霧ノズルが水や培養液を噴霧する。
【００１３】
さらに、本発明の建築物緑化システムは、植栽床を屋上面に設置するための支持部材を兼用する複数のプランターやポットと、各プランターやポットに植栽された緑化植物に灌水する灌水装置と、各プランターやポットからの排水を回収して前記噴霧装置に供給する排水回収装置とを備えた構成とする。この場合、各プランターやポットにも緑化植物が栽培されて屋上面が緑化される。
【００１４】
ここで、排水回収装置により回収される排水を集める排水受けを各プランターが有していると、排水回収装置が排水を確実に回収できるので好ましい。
【発明の効果】
【００１５】
本発明に係る建築物緑化システムでは、噴霧装置が建築物の屋上面と緑化植物の植栽床との間の空間に緑化植物用の水や培養液を噴霧することにより、植栽床に植え込まれた緑化植物が栽培され、こうして建築物の屋上面が緑化される。
【００１６】
ここで、本発明に係る建築物緑化システムによれば、緑化植物栽培用の水や培養液が建築物の屋上面に流出することがないため、屋上面の耐久・耐水性を低下させることがない。従って、既存の建築物の屋上面に対する新たな耐久工事はもとより、防水シートの敷設やゴムコーティングなどの防水工事も不要とすることができる。
【図面の簡単な説明】
【００１７】
【図１】本発明の第１実施形態に係る建築物緑化システムの概要を示す斜視図である。
【図２】図１に示した建築物緑化システムの植栽床の構造を示す断面図である。
【図３】第２実施形態に係る建築物緑化システムの概要を示す斜視図である。
【図４】図３に示した建築物緑化システムのプランターの構造を示す斜視図である。
【図５】図４に示したプランターの横断面図である。
【図６】第３実施形態に係る建築物緑化システムの概要を示す斜視図である。
【図７】第４実施形態に係る建築物緑化システムの概要を示す斜視図である。
【発明を実施するための形態】
【００１８】
以下、添付の図面を参照して本発明に係る建築物緑化システムの実施の形態を説明する。図１および図２に示すように、第１実施形態に係る建築物緑化システムは、建築物である例えば工場の屋上面Ｒを緑化植物Ｐにより緑化するためのシステムである。
【００１９】
この建築物緑化システムは、工場の屋上面Ｒとの間に所定空間を開けて設置される緑化植物Ｐの植栽床１と、この植栽床１と屋上面Ｒとの間の空間に緑化植物Ｐの栽培用の水や培養液を噴霧する噴霧装置２とを備えている。
【００２０】
緑化植物Ｐとしては、セダム、芝生、ハーブ類、一年草草花、多年草草花などが挙げられる。このうち、ベンケイソウ科に属する常緑多年生の多肉植物のセダムは、サボテンなどと同様に乾燥に強く、しかも夏の高温や冬の低温にも強いため、建築物緑化に好適である。
【００２１】
特に、建築物緑化に適した多年草のセダムとしては、メキシコマンネングサ、モリムラマンネングサ、タイトゴメ、ツルマンネングサ、コーラルカーペット、サカサマンネングサ、マルバマンネングサ、オノマンネングサ、キリンソウなどが挙げられる。
【００２２】
また、建築物緑化に使用できる多年草の芝生としては、高麗芝が一般的であるが、姫高麗芝、朝鮮芝、ビロード芝などの日本芝や、バーミューダグラス類、ベントグラス類、ライグラス類、ブルーグラス類、フェスク類などの西洋芝も使用できる。
【００２３】
なお、建築物緑化に使用できる多年草のハーブ類としては、ローズマリー類、ラベンダー類、タイム、セージ類、スイートバジル、カモミール、ミント類が挙げられる。
【００２４】
さらに、上記以外の多年草草花としては、宿根バーベナ、ヤブラン、フィリヤブラン、アジュガ、シバザクラ、マツバギク、ユリオプスデージー、ガザニア、ブルーサルビア、イトバハルシャギク、ガウラ、タマスダレ、ドイツスズラン、クロッカス、ムスカリなどが挙げられる。
【００２５】
なお、一年草草花として、春咲きのパンジー、ビオラ、クリサンマセム・ノースポール、クリサンマセム・ムルチコーレ、デージー、リナリア、夏咲きのマツバボタン、キバナコスモス、ホソバヒャクニンソウ、春〜秋咲きのマリーゴールド、ベゴニア・センパフローレンス、ペチュニア、ハナスベリヒユなどが挙げられ、これらの一年草草花も本発明の建築物緑化システムにおける緑化植物Ｐとして好適に使用することができる。
【００２６】
緑化植物Ｐには、栽培用の水の他に、あるいは水と共に培養液を噴霧する。この培養液は、水溶性肥料を水に溶かして５，０００〜１０，０００倍に希釈したものであり、その肥料の種類あるいは肥料配分は、植栽される緑化植物Ｐの種類、噴霧する肥料の種類に応じて適宜選定される。
【００２７】
ここで、植栽床１は、緑化植物Ｐを植え込むためのものであり、例えば図２に示すように、２枚の金網１Ａ，１Ａ間に１枚または数枚の不織布１Ｂが挟持された構造を有し、極めて軽量化されている。金網１Ａとしては、織金網、クリンプ金網、エキスパンドメタルなどの各種のステンレス金網またはビニール被覆金網が使用できる。不織布１Ｂは適宜の合成樹脂繊維からなり、緑化植物Ｐの種類に応じた適宜の厚さおよび空隙を有する。
【００２８】
植栽床１は、屋上面Ｒに設置された複数の支持ブロック３上に支持されて屋上面Ｒから数十ｃｍ程度の低い高さ位置に張設される。各支持ブロック３には、植栽床１の金網１Ａ，１Ａの目を突き抜けるボルト３Ａが突設されており、このボルト３Ａに螺合するナット３Ｂによって金網１Ａ，１Ａが支持ブロック３上に固定される。
【００２９】
なお、緑化植物Ｐの根が良好に生育するには暗所が好ましく、このために上記の植栽床１の下方空間を囲む暗色のカーテン（図示省略）を、植栽床１の周辺部を支持する各支持ブロック３間に張設して、植栽床１と屋上面Ｒとの間、すなわち緑化植物Ｐの根が生育する空間を、太陽光線から遮断することもできる。この場合、上記の金網１Ａと不織布１Ｂも太陽光線を遮断する暗色のものが好ましい。
【００３０】
噴霧装置２は、貯留タンク２Ａに貯留された緑化植物Ｐの栽培用の培養液をフィルター２Ｂを介して耐圧チューブ２Ｃ内に圧送するポンプユニット２Ｄと、このポンプユニット２Ｄの作動を制御するコントローラユニット（図示省略）と、培養液の圧送供給路である耐圧チューブ２Ｃの途中に配設された複数のジョイント２Ｅにそれぞれ突設された各噴霧ノズル２Ｆとを有する。
【００３１】
噴霧装置２は、ポンプユニット２Ｄの作動により、各噴霧ノズル２Ｆから植栽床１の下面に向けて培養液のミストを噴霧する。各噴霧ノズル２Ｆは、培養液のミストが緑化植物Ｐの根毛から直接吸収されるように、培養液を例えば１０μｍ以下、好ましくは５μｍ程度のミストとして噴霧する。
【００３２】
ここで、噴霧装置２の各噴霧ノズル２Ｆから植栽床１の下面に向けて噴霧された培養液のミストが大気中へ散逸するのを上記の植栽床１の下方空間を囲む暗色のカーテンで防ぐことができる。
【００３３】
以上のように構成された第１実施形態の建築物緑化システムでは、噴霧装置２のポンプユニット２Ｄが作動すると、複数の噴霧ノズル２Ｆから植栽床１の下面に向けて培養液のミストが噴霧される。
【００３４】
この培養液のミストは、非常に微細な５μｍ程度のミストであるため、植栽床１に植え込まれた緑化植物Ｐの根毛から直接吸収される。こうして緑化植物Ｐが栽培され、工場の屋上面Ｒが緑化される。
【００３５】
すなわち、第１実施形態に係る建築物緑化システムによれば、緑化植物Ｐへの散水が不要であり、工場の屋上面Ｒの耐久性を低下させることがない。従って、既存の建築物の屋上面Ｒに対する新たな耐久工事を不要とすることができる。また、緑化植物Ｐへの散水が不要であって、緑化植物Ｐの栽培用の水や培養液が工場の屋上面Ｒに流出することがないため、防水シートやゴムコーティングなどの屋上面Ｒの防水工事をも不要とすることができる。
【００３６】
つぎに、図３〜図５を参照して本発明の第２実施形態に係る建築物緑化システムを説明する。第２実施形態に係る建築物緑化システムは、図１に示した複数の支持ブロック３の一部または全部をプランター４…に変更すると共に、各プランター４に植栽された緑化植物Ｐに灌水する灌水装置５と、各プランター４からの排水を回収して噴霧装置２に供給する排水回収装置６とを追加したものである。なお、図３に示した例では一部の支持ブロック３，３…がプランター４，４…に変更されている。
【００３７】
各プランター４は、支持部材としての剛性を有する適宜の合成樹脂（例えばＡＢＳ樹脂）により、概略長方形の平面形状を有する箱型に形成されている。これらのプランター４，４…は、植栽床１の周囲に沿うコ字状に配列されて植栽床１の周縁部を支持している。なお、植栽床１の中央部分および各プランター４，４…により支持されていない部分は、プランター４と同じ高さの支持ブロック３，３により支持されている。
【００３８】
図４に示すように、プランター４の長手方向両端の側壁部４Ａ，４Ａには、配管用のジョイントパイプ４Ｂ，４Ｂが貫通状態で固定されている。また、図５に示すように、プランター４の内側には、緑化植物Ｐの培養土を支持する土受け板４Ｃが着脱自在に係止されている。この土受け板４Ｃには、培養土への余剰の灌水を排出する多数の水抜き穴４Ｄが形成されている。
【００３９】
ここで、土受け板４Ｃの下方に位置するプランター４の底板部４Ｅは、土受け板４Ｃの各水抜き穴４Ｄから滴下する余剰の灌水をプランター４の幅方向の片側に流下させるように、プランター４の幅方向の片側（図示の例では左側）に位置する側壁部４Ｆに向けて下降傾斜している。そして、底板部４Ｅの下降傾斜する排水勾配に沿って流下する灌水を外側に流出させる排水穴４Ｇ，４Ｇ…が側壁部４Ｆの下部の長手方向に沿って複数形成されている。
【００４０】
また、各排水穴４Ｇ，４Ｇ…から流出する余剰の灌水を受け入れるように、プランター４の片側（左側）の側壁部４Ｆの下部には、排水受部としての排水樋４Ｈが連続して形成されている。そして、この排水樋４Ｈの上部には、側壁部４Ｆ側に倒れて排水樋４Ｈを覆う開閉カバー４Ｉが蓋部として一体に形成されている。
【００４１】
灌水装置５は、各プランター４内に配置されて両端部がジョイントパイプ４Ｂ，４Ｂの内端部に接続された灌水チューブ５Ａ（図４参照）と、各プランター４，４…のジョイントパイプ４Ｂ，４Ｂの外端部同士を接続して一端部がポンプユニット２Ｄに接続された給水チューブ５Ｂとを備えている。
【００４２】
排水回収装置６は、各プランター４，４…の排水樋４Ｈ同士を連通状態に接続して一端部が吸引ポンプ６Ａの吸引側に接続された吸引チューブ６Ｂと、一端部が吸引ポンプ６Ａの吐出側に接続され、他端部が貯留タンク２Ａに接続された吐出チューブ６Ｃとを有する。
【００４３】
以上のように構成された第２実施形態の建築物緑化システムにおいては、緑化植物Ｐとして、例えば高麗芝などの多年草の芝生が植栽床１および各プランター４に植栽される。この第２実施形態の建築物緑化システムでは、噴霧装置２のポンプユニット２Ｄが作動すると、複数の噴霧ノズル２Ｆから植栽床１の下面に向けて培養液のミストが噴霧される。
【００４４】
また、灌水装置５の給水チューブ５Ｂから給水される培養液が各プランター４内に配置された各灌水チューブ５Ａから各プランター４内の培養土中に徐々に灌水される。ここで、各プランター４内において、土受け板４Ｃの各水抜き穴４Ｄ，４Ｄ…から底板部４Ｅ上に滴下する余剰の灌水は、底板部４Ｅの排水勾配により片側の側壁部４Ｆに向けて流下し、排水穴４Ｇ，４Ｇ…を介して排水樋４Ｈ内に流入する。
【００４５】
各プランター４の各排水樋４Ｈ，４Ｈ…内に流入した余剰の灌水は、排水回収装置６の吸引ポンプ６Ａの作動により、吸引チューブ６Ｂから吐出チューブ６Ｃを介して貯留タンク２Ａに回収される。
【００４６】
こうして植栽床１および複数のプランター４，４…により、高麗芝などの芝生が緑化植物Ｐとして栽培され、工場の屋上面Ｒが緑化される。そして、この第２実施形態の建築物緑化システムにおいても、緑化植物Ｐの栽培用の水や培養液が工場の屋上面Ｒに流出することがないため、防水シートやゴムコーティングなどの屋上面Ｒの防水工事をも不要とすることができる。
【００４７】
続いて、図６を参照して本発明の第３実施形態に係る建築物緑化システムを説明する。第３実施形態に係る建築物緑化システムは、図３に示した複数のプランター４の一部または全部を概略円形の平面形状を呈するポット７に変更したものであり、図６に示した例では一部のプランター４，４…がポット７，７…に変更されている。
【００４８】
これらのプランター４，４…およびポット７，７…には、芝生などの多年草や低い常緑樹などを含む種々の緑化植物Ｐが植栽される。そして、プランター４，４…およびポット７，７…は、前述した灌水装置５によって灌水されるように構成されている。また、プランター４，４…は、前述した排水回収装置６によって余剰の灌水が回収されるようになっている。なお、図示はしないが、ポット７，７…を前記のプランター４，４…と同様の構成の潅水機構と排水回収機構を有するものとすることもできる。
【００４９】
以上のように構成された第３実施形態の建築物緑化システムでは、噴霧装置２のポンプユニット２Ｄが作動すると、複数の噴霧ノズル２Ｆから植栽床１の下面に向けて培養液のミストが噴霧される。また、灌水装置５を介してプランター４，４…およびポット７，７…に灌水される。そして、プランター４，４…に灌水された余剰の灌水は、排水回収装置６の吸引ポンプ６Ａの作動により貯留タンク２Ａに回収される。
【００５０】
こうして植栽床１、複数のプランター４，４…および複数のポット７，７…により、適宜の緑化植物Ｐが栽培され、工場の屋上面Ｒが緑化される。そして、この第３実施形態の建築物緑化システムにおいても、緑化植物Ｐの栽培用の水や培養液が工場の屋上面Ｒに流出することがないため、防水シートやゴムコーティングなどの屋上面Ｒの防水工事をも不要とすることができる。
【００５１】
つぎに、図７を参照して本発明の第４実施形態に係る建築物緑化システムを説明する。第４実施形態に係る建築物緑化システムは、図１に示した植栽床１を複数に分割して各植栽床１の間に作業通路８を設けると共に、各植栽床１の周囲に太陽光発電をするためのソーラーパネル９，９…を配設したものである。なお、ソーラーパネル９，９…は、植栽床１自体、あるいは図１に示した支持ブロック３、図６に示したプランター４やポット７を支持部材として使用することもできる。
【００５２】
図７に示すように、植栽床１は長手方向に沿う作業通路８により２つの植栽床１，１に区画されている。噴霧装置２は、各植栽床１，１の下面に向けて培養液のミストを噴霧するように構成されており、噴霧装置２の耐圧チューブ２Ｃによって接続された貯留タンク２Ａ、フィルター２Ｂおよびポンプユニット２Ｄは、例えば２つの植栽床１，１の短辺側の片側に配置されている。
【００５３】
ソーラーパネル９，９…は、２つの植栽床１，１の周囲に沿って横方向に並べて立設されている。各ソーラーパネル９，９…は、略垂直に立設されていてもよく、あるいは所定の傾斜角度をもって立設されていてもよい。なお、図７に示した例では、ソーラーパネル９，９…は、２つの植栽床１，１の周囲のうち、貯留タンク２Ａやポンプユニット２Ｄが配置される側の周囲および作業通路８に面した側の周囲には設置されていないが、これらの箇所にもソーラーパネル９，９…を設置することができる。
【００５４】
ここで、支持ブロック３，３…による植栽床１，１の支持高さは、ソーラーパネル９の高さに応じて設定するのが好ましい。植栽床１，１の支持高さをソーラーパネル９の高さに応じて高くした場合、噴霧装置２の支持高さは、図示しない適宜の支持台などを用いることにより、植栽床１，１の支持高さに合わせて高くする（なお、支持台を用いる場合は、該支持台内部をチューブ等の配設スペースとして使用することもできる）。
【００５５】
このように植栽床１，１の支持高さに応じた高さを有するソーラーパネル９，９…は、各植栽床１，１の下方空間、すなわち緑化植物Ｐの根が生育する空間を太陽光線から遮断するカーテンの機能も発揮する。
【００５６】
ここで、噴霧装置２により各植栽床１，１の下面に向けて噴霧されるミストを利用して各ソーラーパネル９，９…を冷却することができるように、各ソーラーパネル９，９…の背面側には、冷却用の放熱フィン（図示省略）を設けることもできる。
【００５７】
以上のように構成された第４実施形態の建築物緑化システムでは、各植栽床１，１に植設された緑化植物Ｐにより、工場の屋上面Ｒが緑化される。そして、この第４実施形態の建築物緑化システムにおいても、緑化植物Ｐの栽培用の水や培養液が工場の屋上面Ｒに流出することがないため、防水シートやゴムコーティングなどの屋上面Ｒの防水工事をも不要とすることができる。
【００５８】
加えて、第４実施形態の建築物緑化システムでは、２つの植栽床１，１の間に作業通路８が設けられているため、各植栽床１，１に対するメンテナンス作業が容易となる。
【００５９】
また、各植栽床１，１に周囲に立設されたソーラーパネル９，９…が太陽光発電するため、その電力を噴霧装置２の電源として利用することができる。この場合、ソーラーパネル９，９…は、その背面が噴霧装置２により各植栽床１，１の下面に向けて噴霧されるミストを利用して冷却される（背面に放熱フィンが設けられていれば、冷却効果はより一層良好となる）ため、発電効率が高まり、寿命も延びる。
【００６０】
本発明に係る建築物緑化システムは、前述した各実施形態に限定されるものではない。例えば、植栽床１を構成する金網１Ａは、防虫ネット、遮光ネット、防風ネットなどの名称で市販されている各種の合成樹脂製のネットに変更することができる。
【００６１】
また、植栽床１を構成する不織布１Ｂは、合成樹脂製の保水シートやマット、再生繊維マット、ヤシガラマットなどに変更することができる。
【００６２】
さらに、図７に示した作業通路８は、植栽床１を３つに区画するＴ字形の通路であってもよいし、植栽床１を４つに区画する十文字形の通路であってもよい。
【００６３】
本発明の建築物緑化システムは、建築物の平坦な屋上面を緑化植物により緑化することが可能である。
【符号の説明】
【００６４】
１  ：植栽床
１Ａ：金網
１Ｂ：不織布
２  ：噴霧装置
２Ａ：貯留タンク
２Ｂ：フィルター
２Ｃ：耐圧チューブ
２Ｄ：ポンプユニット
２Ｅ：ジョイント
２Ｆ：噴霧ノズル
３  ：支持ブロック
３Ａ：ボルト
３Ｂ：ナット
４  ：プランター
４Ａ：側壁部
４Ｂ：ジョイントパイプ
４Ｃ：土受け板
４Ｄ：水抜き穴
４Ｅ：底板部
４Ｆ：側壁部
４Ｇ：排水穴
４Ｈ：排水樋
４Ｉ：開閉カバー
５  ：灌水装置
５Ａ：灌水チューブ
５Ｂ：給水チューブ
６  ：排水回収装置
６Ａ：吸引ポンプ
６Ｂ：吸引チューブ
６Ｃ：吐出チューブ
７  ：ポット
８  ：作業通路
９  ：ソーラーパネル
【図１】
0006347077.tif 000002
【図２】
0006347077.tif 000003
【図３】
0006347077.tif 000004
【図４】
0006347077.tif 000005
【図５】
0006347077.tif 000006
【図６】
0006347077.tif 000007
【図７】
0006347077.tif 000008